(57)【特許請求の範囲】
【請求項１】
インターホン回路と呼び出し機能を実現する制御部とを備えた複数のインターホン装置が互いにケーブルで接続されるインターホンシステムであって、
各々の前記インターホン回路は、第１のＰＬＬ制御を用いて生成した第１の変調信号を前記ケーブルに出力する変調回路、及び相手側インターホン装置が出力し、前記ケーブルから入力した第２の変調信号を第２のＰＬＬ制御を用いて復調する復調回路を備えるものであり、
前記制御部は、前記第１のＰＬＬ制御のアンロック状態又は第２のＰＬＬ制御のアンロック状態が所定時間以上継続したとき、前記呼び出し機能を実現する
ことを特徴とするインターホンシステム。
【請求項２】
請求項１に記載のインターホンシステムであって、
前記呼び出し機能は、前記ケーブルを介して、前記相手側インターホン装置にデジタル信号を送信するものであり、
前記第１の変調信号、及び前記第２の変調信号の何れか一方又は双方は、アナログ信号である
ことを特徴とするインターホンシステム。
【請求項３】
請求項１又は請求項２に記載のインターホンシステムであって、
前記変調回路は、ＰＬＬ制御で第１搬送周波数の高周波信号を生成し、該高周波信号に音声信号をＦＭ変調させた変調信号を前記ケーブルに重畳させるものであり、
前記復調回路は、前記ケーブルに重畳された変調信号の位相に一致するように前記第２のＰＬＬ制御を用いて、第２搬送波周波数の高周波信号を電圧制御発振器で生成し、該電圧制御発振器を制御する制御電圧を復調信号として出力する
ことを特徴とするインターホンシステム。
【請求項４】
請求項１乃至請求項３の何れか一項に記載のインターホンシステムであって、
前記複数のインターホン装置を前記ケーブルで集中的に接続する本体装置を備え、
前記本体装置は、前記複数のインターホン装置の故障履歴を格納する書き込み可能な不揮発性記憶部と他の制御部とを備え、
前記他の制御部は、前記アンロック状態の継続を受信したとき、前記アンロック状態が継続した旨の故障履歴を前記不揮発性記憶部に追記する
ことを特徴とするインターホンシステム。
【請求項５】
請求項４に記載のインターホンシステムであって、
前記ケーブルは２本線であり、
前記本体装置は、前記２本線のケーブルを介して、前記インターホン装置に直流電力を供給する電源装置を備え、
前記第１の変調信号、及び前記第２の変調信号は、前記電源装置の直流電圧に重畳される
ことを特徴とするインターホンシステム。
【請求項６】
インターホン回路と呼び出し機能を実現する制御部とを備え、本体装置又は相手リモコンとケーブルで接続されるリモコンであって、
各々の前記インターホン回路は、第１のＰＬＬ制御を用いて生成した第１の変調信号を前記ケーブルに出力する変調回路、及び前記相手リモコンが出力し、前記ケーブルから入力した第２の変調信号を第２のＰＬＬ制御を用いて復調する復調回路を備えるものであり、
前記制御部は、前記第１のＰＬＬ制御のアンロック状態又は第２のＰＬＬ制御のアンロック状態が所定時間以上継続したとき、前記呼び出し機能を実現する
ことを特徴とするリモコン。
【請求項７】
インターホン回路と呼び出し機能を実現する制御部とを備えた複数のリモコンと、前記複数のリモコンが制御する給湯器本体とがケーブルで接続される給湯器システムであって、
各々の前記インターホン回路は、第１のＰＬＬ制御を用いて生成した第１の変調信号を前記ケーブルに出力する変調回路、及び相手リモコンが出力し、前記ケーブルから入力した第２の変調信号を第２のＰＬＬ制御を用いて復調する復調回路を備えるものであり、
前記制御部は、前記第１のＰＬＬ制御のアンロック状態又は第２のＰＬＬ制御のアンロック状態が所定時間以上継続したとき、前記呼び出し機能を実現する
ことを特徴とする給湯器システム。
【発明の詳細な説明】
【技術分野】
【０００１】
本発明は、インターホンシステム、リモコン、及び給湯器システムに関し、特に、インターホン回路、及び呼び出し機能を備えたインターホンシステム、リモコン、及び給湯器システムに関する。
【背景技術】
【０００２】
台所や浴室で使用される給湯器は、給湯器本体と台所用リモコンと浴室用リモコンとを備え、給湯器本体と台所用リモコン、及び浴室用リモコンとはケーブルで接続されることが多い。例えば、特許文献１は、インターホン回路を設けた給湯器のリモコンが記載されている。また、特許文献２は、給湯器の操作ボタンのスイッチと共通ユニットとを、２本以下のケーブルを用いて接続する技術が記載されている。
【先行技術文献】
【特許文献】
【０００３】
【特許文献１】特開２０１２−５２６７８号公報（要約、請求項６）
【特許文献２】特開２００８−２６１５９７号公報（請求項２）
【発明の概要】
【発明が解決しようとする課題】
【０００４】
ところで、台所用リモコンと浴室用リモコンとは、インターホン回路を備え、音声信号を送受信することができるように構成することができる。また、浴室用リモコンは、呼び出しモードを備え、インターホン回路が故障したときでも、利用者が呼び出しモードに設定変更することにより、浴室用リモコンから台所用リモコンを制御して、台所用リモコンで呼び出し音（例えば、「ピンポンパンポン」というアラームや音声ガイド）を放音させることができる。
【０００５】
しかしながら、呼び出しモードの存在を知らない利用者や、設定方法を把握していない利用者がいる。このような利用者は、緊急時に呼び出しモードに設定変更することができず、危険である。また、利用者がインターホンの回路故障を忘れて、再度、インターホン動作を行おうとすると、故障範囲が拡大するおそれもある。
【０００６】
本発明は、このような事情に鑑みてなされたものであり、インターホン回路の不具合時に呼び出し機能を実現するインターホンシステム、リモコン、及び給湯器システムを提供することを目的とする。
【課題を解決するための手段】
【０００７】
前記目的を達成するために、本発明は、インターホン回路（１０）と呼び出し機能（例えば、呼出信号処理部８８、呼び出しモード機能部８３）を実現する制御部（５０，５１）とを備えた複数のインターホン装置（例えば、台所リモコン１００、浴室リモコン２００）が互いにケーブルで接続されるインターホンシステムであって、各々の前記インターホン回路は、第１のＰＬＬ制御を用いて生成した第１の変調信号を前記ケーブルに出力する変調回路（１４）、及び相手側インターホン装置が出力し、前記ケーブルから入力した第２の変調信号を第２のＰＬＬ制御を用いて復調する復調回路（１２）を備えるものであり、前記制御部は、前記第１のＰＬＬ制御のアンロック状態又は第２のＰＬＬ制御のアンロック状態が所定時間以上継続したとき、前記呼び出し機能を実現することを特徴とする。
【発明の効果】
【０００８】
本発明によれば、インターホン回路の不具合時に呼び出し機能を実現することができる。
【図面の簡単な説明】
【０００９】
【図１】本発明の第１実施形態である給湯器システムの構成図である。
【図２】リモコンに備えられる変調回路の動作を説明するための波形図である。
【図３】本発明の第１実施形態のリモコンに備えられるマイコンの構成図である。
【図４】給湯器本体に備えられるマイコンの構成図である。
【図５】本発明の第１実施形態のリモコンにおいて、インターホンＳＷが押下されたときのフローチャートである。
【図６】本発明の第１実施形態のリモコンにおいて、インターホン信号を受信したときのフローチャートである。
【図７】本発明の第１実施形態のリモコンにおいて、呼出信号を受信したときのフローチャートである。
【図８】本発明の第１実施形態の給湯器本体のフローチャートである。
【図９】本発明の第２実施形態のリモコンに備えられるマイコンの構成図である。
【図１０】本発明の第２実施形態のリモコンのフローチャートである。
【図１１】本発明の第２実施形態である給湯器システムの給湯器本体のフローチャートである。
【発明を実施するための形態】
【００１０】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１１】
（第１実施形態）
図１は、本発明の第１実施形態である給湯器システムの構成図である。
給湯器システム５００は、給湯器本体３００と、台所リモコン１００と、浴室リモコン２００との複数のリモコンを備え、給湯器本体３００と台所リモコン１００との間、及び給湯器本体３００と浴室リモコン２００との間は、ケーブル４００で接続されている。ここで、台所リモコン１００、及び浴室リモコン２００は、インターホン装置としての機能を有し、相手リモコン（相手側インターホン装置）と会話が可能に構成されている。
【００１２】
また、台所リモコン１００、及び浴室リモコン２００の２つのリモコンは、相手リモコンの使用者を「ピンポンパンポン」というアラームや「呼び出しがあります。」等の呼び出し音で呼び出す呼出機能（呼出モード）を備えている。ここで、相手リモコンとは、台所リモコン１００でインターホンＳＷが押下されたときには、浴室リモコン２００のことを云い、浴室リモコン２００でインターホンＳＷが押下されたときには、台所リモコン１００のことを云う。
【００１３】
（ケーブル）
ケーブル４００は、電源電圧１２Ｖの直流電力を供給するものであり、２芯ケーブルである。ケーブル４００は、規格ケーブルが規定されており、例えば、長さ３０ｍのＡＷＧ２３の線材である。また、ケーブル４００は、１２Ｖの直流電圧に制御用のデジタル信号や、インターホン用のアナログ音声信号を重畳させて使用している。
【００１４】
（給湯器本体）
給湯器本体３００は、電源装置３１と、通信回路２０と、マイコン５２と、不揮発性記憶部６０とを備え、不揮発性記憶部６０は、書き換え可能なＦＲＯＭ（Flash Read Only Memory）であり、故障履歴６５を格納する領域が確保されている。
【００１５】
電源装置３１は、台所リモコン１００、及び浴室リモコン２００に直流電力を供給するための、直流電圧１２Ｖの電源装置である。通信回路２０は、台所リモコン１００、及び浴室リモコン２００と給湯器本体３００との間でデジタル通信を行うものであり、数百ｋＨｚの周波数をケーブル４００の直流電圧１２Ｖに重畳させている。このため、通信回路２０は、カップリングコンデンサを介してケーブル４００と接続されている。
【００１６】
（リモコン）
台所リモコン１００、及び浴室リモコン２００は、同一構成であり、インターホン回路１０と、マイコン５０と、通信回路２０と、電源回路３０と、アンプ４０と、入力表示部７０とを備え、スピーカ４５、及びマイク４６を接続している。なお、通信回路２０は、給湯器本体３００の通信回路２０と同一回路で構成されており、マイコン５０と接続されている。
【００１７】
インターホン回路１０は、給湯器本体３００を介して、台所リモコン１００と浴室リモコン２００との間で会話を行うものであり、復調回路１２と変調回路１４とを備え、カップリングコンデンサを介してケーブル４００に接続されている。
【００１８】
マイク４６は、音声をアナログ音声信号に変換するものであり、増幅器４２を介して、アナログ音声信号がインターホン回路１０の変調回路１４に入力される。変調回路１４は、２．３ＭＨｚ帯や２．８ＭＨｚ帯の搬送波を用いて、アナログ音声信号をＦＭ変調するものであり、変調（ＦＭ）出力レベルは、例えば、１Ｖｐｐである。復調回路１２は、ＦＭ変調された例えば、変調信号を復調し、アナログ音声信号を出力するものであり、復調（ＡＦ）出力レベルは、０．５Ｖｐｐである。変調回路１４、及び復調回路１２は、ＰＬＬ（Phase Locked Loop）を制御する制御信号が入力され、ＰＬＬロック状態か否かを示すロック信号が出力される。
【００１９】
なお、図１において、浴室リモコン２００の復調回路１２、及びそのロック信号に太い「×」が付してあるが、この「×」は復調回路１２の故障や不具合を示している。
【００２０】
図２は、リモコンに備えられる変調回路の動作を説明するための波形図である。
変調回路１４（図１）は、制御信号、及び音声信号が入力され、ロック信号、及びＦＭ変調信号が出力される。ここで、制御信号は、マイコン５０のＩ／Ｏポート５８（図３）から入力され、ロック信号は、マイコン５０のＩ／Ｏポート５８に出力するものであり、音声信号はマイク４６から増幅器４２を介して入力されるものである。
【００２１】
制御信号は、変調回路１４を起動制御するものであり、ＬＯＷレベルでパワーダウン状態になり、ＨＩＧＨレベルでパワーオン状態になる。音声信号は、パワーダウン状態でも入力可能である。変調回路１４は、制御信号がＨＩＧＨレベルになり、パワーオン状態になると、設定された第１搬送周波数（例えば、２．３ＭＨｚ帯）になるように位相同期制御（第１のＰＬＬ制御）された高周波信号（搬送波信号）を図示しない電圧制御発振器（ＶＣＯ:Variable Control Oscillator）が発生する。
【００２２】
変調回路１４は、高周波信号の周波数と設定された第１搬送周波数とが一致（ロック）すると、ロック信号をＨＩＧＨレベルからＬＯＷレベルに遷移させる。高周波信号の周波数と設定された第１搬送周波数とが一致する前をＰＬＬアンロック状態といい、周波数が一致するとＰＬＬロック状態という。そして、変調回路１４は、ＰＬＬロック状態になると、変調回路１４は、ＦＭ変調動作を行う。なお、ＰＬＬ制御は、制御信号がハイレベルに遷移してからロックするまでに所定時間必要であり、この所定時間は、図示しないＬＰＦ（Low Pass Filter）のパラメータ等に依存する。
【００２３】
次に、復調回路１２の動作を簡単に説明する。ＰＬＬ制御回路は、入力された周波数変調信号と同一の高周波信号になるように電圧制御発振器（ＶＣＯ）の出力をＰＬＬ制御（第２のＰＬＬ制御）する。このとき、ＶＣＯの制御電圧はロック電圧を中心に電圧偏移しており、これは入力された周波数変調信号の周波数偏移と一致する。このため、ＶＣＯの制御電圧は、復調された低周波信号になっている。なお、入力された周波数変調信号は、相手方の変調信号であり、高周波信号は第２搬送周波数（例えば、２．８ＭＨｚ帯））に設定されている。
【００２４】
図１に戻り、アンプ４０は、復調回路１２が出力するアナログ音声信号を増幅して、スピーカ４５に出力するものである。また、アンプ４０は、マイコン５０のＤ／Ａ変換器５９（図３）が出力するアナログ音声信号を入力・増幅し、スピーカ４５に出力するようにも構成されている。ここで、マイコン５０は、呼び出しモードに設定されたときに、音声ガイド「呼び出しがあります。」のデジタル音声信号を生成する。
【００２５】
電源回路３０は、ケーブル４００を介して供給された電源電圧１２Ｖの直流電力をアンプ４０に供給したり、三端子電源で電源電圧１２Ｖを５Ｖに降圧し、降圧された直流電力をマイコン５０、通信回路２０やインターホン回路１０に供給したりする。
【００２６】
入力表示部７０は、複数のスイッチ（例えば、インターホンＳＷ）やＬＣＤ（Liquid Crystal Display）を備え、各種入力や表示を行うものである。
【００２７】
図３、図４は、マイコンの構成図である。
マイコン５０（５０ａ），５２は、ＣＰＵ（Central Processing Unit）５５、ＲＯＭ（Read Only Memory）５６、ＲＡＭ（Random Access Memory）５７、Ｉ／Ｏポート５８、Ｄ／Ａ変換器５９を内蔵したワンチップマイコンである。マイコン５０，５２のＣＰＵ５５は、ＲＯＭ５６に格納されたプログラムを実行することにより、機能を実現する制御部である。
【００２８】
台所リモコン１００、及び浴室リモコン２００に備えられるＣＰＵ５５（図３）は、プログラムを実行することにより、インターホンスイッチ機能部８６と、インターホン信号処理部８７と、呼出信号処理部８８との機能を実現し、呼出信号処理部８８は、音声信号生成部８４を含んでいる。インターホンスイッチ機能部８６は、インターホンＳＷが押下されたときに機能する機能部であり、相手リモコンにインターホン信号を送信し、インターホン回路１０が故障や不具合があったときに、呼出モードに切り替え、相手リモコンに呼出信号や故障信号を送信する。
【００２９】
インターホン信号処理部８７は、インターホン信号を受信したときに機能する機能部であり、インターホン回路１０が故障や不具合があったときに、呼出モードに切り替え、相手リモコンに呼出信号や故障信号を送信する。呼出信号処理部８８は、呼出信号を受信したときに呼び出し機能を実現するために、デジタル音声信号を生成する機能部である。
【００３０】
また、インターホンスイッチ機能部８６、及びインターホン信号処理部８７は、インターホン回路１０のロック信号を監視し、故障や不具合を検知するように構成されている。つまり、インターホンスイッチ機能部８６、及びインターホン信号処理部８７は、制御信号（図２）をＨＩＧＨレベルにした後、一定時間以上、ロック信号が立ち上がった状態（アンロック状態）のときに、故障や不具合と判定する。
【００３１】
給湯器本体３００に備えられるマイコン５２のＣＰＵ５５（図４）は、インターホン信号処理部８９、及び故障履歴格納部８５の機能を実現する制御部（他の制御部）である。インターホン信号処理部８９は、台所リモコン１００、及び浴室リモコン２００の何れか一方からインターホン信号を受信したときに機能する機能部である。故障履歴格納部８５は、台所リモコン１００や浴室リモコン２００から受信した情報（故障信号）に基づいて、書き込み可能な不揮発性記憶部６０に故障履歴６５を格納（追記）する機能部である。
【００３２】
（動作）
図５は、本発明の第１実施形態のリモコンにおいて、インターホンＳＷが押下されたときのフローチャートである。
このルーチンは、台所リモコン１００、及び浴室リモコン２００の何れか一方のインターホンＳＷが押下されたときに起動する。
【００３３】
インターホンスイッチ機能部８６は、インターホンモードに設定されているか、呼出モードに設定されているか判定する（Ｓ１０２）。インターホンモードに設定されていると判定されたら（Ｓ１０２でインターホン設定）、インターホンスイッチ機能部８６は、給湯器本体３００（図１）の本体基板、及び相手リモコンにインターホン信号を送信する（Ｓ１０４）。
【００３４】
Ｓ１０４の処理後、インターホンスイッチ機能部８６は、給湯器本体３００の本体基板からインターホン回路１０の故障履歴６５（図１）を受信して、故障履歴６５があるか否か判定する（Ｓ１０６）。故障履歴６５が無かったら（Ｓ１０４でＮｏ）、インターホンスイッチ機能部８６は、インターホン回路１０をＯＮにする（Ｓ１０８）。つまり、インターホンスイッチ機能部８６は、Ｉ／Ｏポート５８（図３）を制御して、インターホン回路１０の制御信号をＬＯＷレベルからＨＩＧＨレベルに変化させる（Ｓ１０８）。
【００３５】
Ｓ１０８の処理後、インターホンスイッチ機能部８６は、一定時間、変調回路・復調回路のロック信号があるか否か判定する（Ｓ１１０）。一定時間のロック信号があったとき、つまり、ＬＯＷレベルのロック信号が一定時間あったときには（Ｓ１１０でＹｅｓ）、インターホンスイッチ機能部８６は、相手リモコンの故障信号が無かったか否か判定する（Ｓ１１２）。相手リモコンの故障信号が無かったときには（Ｓ１１２でＹｅｓ）、インターホン通話が開始される（Ｓ１１４）。なお、図５のＳ１１４は破線で示しているが、この破線は、使用者の動作を示している。そして、押下されたインターホンＳＷが復帰したり、通話が一定時間以上経過したりしたら、インターホンスイッチ機能部８６は、インターホン通話が終了したこととし（Ｓ１１６）、通常動作を行う（Ｓ１１８）。
【００３６】
一方、Ｓ１１０において、一定時間のロック信号が無かったときには（Ｓ１１０でＮｏ）、インターホンスイッチ機能部８６は、インターホン回路１０をＯＦＦにする（Ｓ１３０）。つまり、インターホンスイッチ機能部８６は、ロック信号がＨＩＧＨレベルからＬＯＷレベルに遷移せず、アンロック状態が継続しているときには（Ｓ１１０でＮｏ）、制御信号をＨＩＧＨレベルからＬＯＷレベルに変化させ（Ｓ１３０）、給湯器本体３００の本体基板、及び相手リモコンに故障信号を送信する（Ｓ１３２）。
【００３７】
Ｓ１３２の処理後、及び給湯器本体３００の本体基板に故障履歴６５（図１）があったと判定されたときには（Ｓ１０６でＹｅｓ）、インターホンスイッチ機能部８６は、呼出モードに切り替え（Ｓ１３４）、呼出モードに切り替えたことを入力表示部７０（図１）のＬＣＤに表示し（Ｓ１３６）、通常動作を行う（Ｓ１３８）。
【００３８】
またＳ１１２において、相手リモコンの故障信号があったと判定されたときには（Ｓ１１２でＮｏ）、インターホンスイッチ機能部８６は、インターホン回路１０をＯＦＦさせる（Ｓ１２０）。つまり、インターホンスイッチ機能部８６は、インターホン回路１０の制御信号をＬＯＷレベルに変化させる（Ｓ１２０）。Ｓ１２０の処理後、インターホンスイッチ機能部８６は、呼出モードに切り替え（Ｓ１３４）、呼出モードに切り替えたことを入力表示部７０（図１）のＬＣＤに表示し（Ｓ１３６）、通常動作を行う（Ｓ１３８）。
【００３９】
また、Ｓ１０２の判定において、呼出モードに設定されていると判定されたら（Ｓ１０２で呼出設定）、インターホンスイッチ機能部８６は、給湯器本体３００の本体基板、及び相手リモコンに呼出信号を送信し（Ｓ１４０）、通常動作を行う（Ｓ１４２）。
【００４０】
図６は、本発明の第１実施形態のリモコンにおいて、インターホン信号を受信したときのフローチャートである。
このルーチンは、台所リモコン１００、及び浴室リモコン２００の何れか一方のリモコンが相手方リモコンからインターホン信号を受信したときに起動する。
【００４１】
インターホン信号処理部８７は、給湯器本体３００の本体基板からインターホン回路１０の故障履歴６５（図１）を受信し、故障履歴６５があるか否か判定する（Ｓ２０２）。故障履歴６５が無かったときは（Ｓ２０２でＮｏ）、インターホン信号処理部８７は、インターホン回路１０をＯＮさせる（Ｓ２０４）。つまり、インターホン信号処理部８７は、インターホン回路１０の制御信号をＬＯＷレベルからＨＩＧＨレベルに変化させる（Ｓ２０４）。
【００４２】
Ｓ２０４の処理後、インターホン信号処理部８７は、一定時間、変調回路・復調回路のロック信号があるか否か判定する（Ｓ２０６）。一定時間のロック信号があったとき、つまり、ロック信号が一定時間以上、ＬＯＷレベルが継続していたときには（Ｓ２０６でＹｅｓ）、インターホン信号処理部８７は、相手リモコンの故障信号が無かったか否か判定する（Ｓ２０８）。相手リモコンの故障信号が無かったときには（Ｓ２０８でＹｅｓ）、インターホン通話が開始される（Ｓ２１０）。そして、押下されたインターホンＳＷが復帰したり、通話が一定時間以上経過したりしたら、インターホン信号処理部８７は、インターホン通話が終了したこととし（Ｓ２１２）、通常動作を行う（Ｓ２１４）。
【００４３】
一方、Ｓ２０８において、相手リモコンの故障信号があったと判定されたときには（Ｓ２０８でＮｏ）、インターホン信号処理部８７は、インターホン回路１０をＯＦＦさせる（Ｓ２１６）。つまり、インターホン信号処理部８７は、インターホン回路１０の制御信号をＬＯＷに遷移させる（Ｓ２１６）。
【００４４】
また、Ｓ２０６において、一定時間のロック信号が無かったときには（Ｓ２０６でＮｏ）、インターホン信号処理部８７は、インターホン回路１０をＯＦＦにする（Ｓ２２０）。つまり、インターホン信号処理部８７は、ロック信号がＨＩＧＨレベルからＬＯＷレベルに遷移せず、アンロック状態が継続しているときには（Ｓ２０６でＮｏ）、制御信号をＨＩＧＨレベルからＬＯＷレベルに変化させ（Ｓ２２０）、給湯器本体３００の本体基板、及び相手リモコンに故障信号を送信する（Ｓ２２２）。
【００４５】
Ｓ２２２の処理後、Ｓ２１６の処理後、又は給湯器本体３００の本体基板に故障履歴６５があったと判定されたときには（Ｓ２０２でＹｅｓ）、インターホン信号処理部８７は、呼出モードに切り替え（Ｓ２２４）、呼出モードに切り替えたことを入力表示部７０（図１）のＬＣＤに表示し（Ｓ２２６）、相手リモコンからの呼出があることを音声で報知する（Ｓ２２８）。つまり、呼出信号処理部８８は、音声信号生成部８４を用いて、例えば、「ピンポンパンポン」というアラームや「呼び出しがあります。」等の呼び出し音の音声信号を生成し（Ｓ２２８）、スピーカ４５（図１）から放音させる。そして、呼出信号処理部８８は、通常動作を行う（Ｓ２３０）。
【００４６】
図７は、本発明の第１実施形態のリモコンにおいて、呼出信号を受信したときのフローチャートである。
このルーチンは、台所リモコン１００、及び浴室リモコン２００の何れか一方のリモコンが相手方リモコンから呼出信号を受信したときに起動する。
【００４７】
呼出信号処理部８８は、相手リモコンからの呼出があることを音声で報知し（Ｓ２５０）、通常動作を行う（Ｓ２５２）。つまり、呼出信号を受信した側のマイコン５０（図３）は、「呼び出しがあります。」等の音声信号を生成し、Ｄ／Ａ変換器５９、アンプ４０を介して、スピーカ４５から放音させる。
【００４８】
図８は、本発明の第１実施形態の給湯器本体のフローチャートである。
このルーチンは、給湯器本体３００が台所リモコン１００、及び浴室リモコン２００の何れか一方からインターホン信号を受信したら起動する。
【００４９】
インターホン信号処理部８９（図４）は、インターホン回路１０の故障履歴６５（図１）があるか否か判定する（Ｓ３０２）。故障履歴６５があったときには（Ｓ３０２でＹｅｓ）、インターホン信号処理部８９は、全リモコンにインターホン回路１０の故障履歴６５ありの信号を送信し（Ｓ３０６）、通常動作を行う（Ｓ３１０）。
【００５０】
一方、故障履歴が無かったときには（Ｓ３０２でＮｏ）、インターホン信号処理部８９は、故障信号があるか否かの判定を行う（Ｓ３０４）。故障信号を確認できたときには（Ｓ３０４でＹｅｓ）、インターホン信号処理部８９は、インターホン回路１０の故障履歴６５をメモリ（書き込み可能な不揮発性記憶部６０（図１））に記憶し（Ｓ３０８）、通常動作を行う（Ｓ３１０）。一方、故障信号が無かったときには（Ｓ３０４でＮｏ）、通常動作を行う（Ｓ３１０）。
【００５１】
以上説明したように、本実施形態の台所リモコン１００、及び浴室リモコン２００は、インターホン回路１０のＰＬＬ制御のロック信号（図２）が一定時間以上継続してＬＯＷレベルに遷移しないときには、マイコン５０は、インターホン回路１０に故障乃至不具合があったと判断し（図５のＳ１１０、図６のＳ２０６）、相手リモコンに故障信号を送信し（図５のＳ１３２、図６のＳ２２２）、呼出モードに切り替える（図５のＳ１３４、図６のＳ２２４）。
【００５２】
これにより、例えば、浴室リモコン２００のインターホンＳＷが押下された場合に、浴室リモコン２００、又は台所リモコン１００のインターホン回路１０に故障乃至不具合があると、インターホンＳＷが押下されなかった側の台所リモコン１００のマイコン５０（図３）は、「浴室で呼び出しがあります。」等のデジタル音声信号を生成し、Ｄ／Ａ変換器５９、アンプ４０を介して、スピーカ４５から放音させる。
【００５３】
インターホン回路１０の変調回路１４は、アナログのＦＭ変調信号を出力する一方、通信回路２０は、故障信号や呼出信号の送信（図５のＳ１３２、図６のＳ２２２）を、デジタル伝送で行う。また、インターホン回路１０の変調信号の振幅は、例えば、１Ｖｐｐであり、デジタル信号の振幅は５Ｖｐｐである。したがって、インターホン回路１０に不具合が生じるほど、ケーブル４００が長く敷設されていても、通信回路２０は正常に動作し、呼び出しモードに移行することができる。
【００５４】
（第２実施形態）
前記第１実施形態は、インターホンＳＷを押下した側のリモコンがインターホン信号や呼出信号を相手リモコンに送信して、相手リモコンが受信した信号に基づいた処理を実行したが、第２実施形態は、インターホンＳＷを押下した側のリモコンが相手リモコンを直接制御するように構成している。
【００５５】
図９は、本発明の第２実施形態のリモコンに備えられるマイコンの構成図である。
台所リモコン１００、及び浴室リモコン２００に備えられるマイコン５０ｂのＣＰＵ５５は、プログラムを実行することにより、インターホン回路故障検知部８１と、相手リモコン制御部８２と、呼び出しモード機能部８３との機能を実現し、呼び出しモード機能部８３は、前記した音声信号生成部８４を含んでいる。インターホン回路故障検知部８１は、インターホン回路１０のロック信号を監視し、故障を検知する。つまり、インターホン回路故障検知部８１は、制御信号（図２）をＨＩＧＨレベルにした後、一定時間以上、ロック信号が立ち上がった状態（アンロック状態）のときに、故障と判定する。
【００５６】
相手リモコン制御部８２は、台所リモコン１００から浴室リモコン２００の一部機能を制御するものであり、例えば、相手リモコンのインターホン回路１０のＯＮ／ＯＦＦ制御を行ったり、呼び出しモードへの移行を制御したりする。
【００５７】
呼び出しモード機能部８３は、浴室リモコン２００から呼び出しモード移行の指示があったときに、音声信号生成部８４を用いて、例えば、呼び出し音や、音声ガイダンス「呼び出しがあります。」の音声信号を生成する。
【００５８】
給湯器本体３００に備えられるマイコン５２のＣＰＵ５５（図４）は、前記したように、故障履歴格納部８５の機能を実現する。故障履歴格納部８５は、台所リモコン１００や浴室リモコン２００から受信した情報に基づいて、書き込み可能な不揮発性記憶部６０に故障履歴６５を格納（追記）する。
【００５９】
（動作）
図１０は、本発明の第２実施形態である給湯器システムのリモコンのフローチャートである。
このルーチンは、台所リモコン１００又は浴室リモコン２００のインターホン通話スイッチがＯＮされたときに、ＯＮされた側のリモコンで起動する。ここでは、浴室リモコン２００は、そのインターホン通話スイッチがＯＮされたが、復調回路１２が故障や不具合が発生して、ＰＬＬがロックしないとして説明する。
【００６０】
インターホン回路故障検知部８１は、インターホン回路故障履歴の有無を確認する（Ｓ１０）。ここでは、浴室リモコン２００は、給湯器本体３００の不揮発性記憶部６０を読み出し、故障履歴６５が格納されているか否か確認する。インターホン回路故障検知部８１は、故障履歴６５が給湯器本体３００に格納されていなければ（Ｓ１０でＹｅｓ）、インターホン回路１０をＯＮさせる（Ｓ１２）。つまり、インターホン回路故障検知部８１は、インターホン回路１０の制御信号をＬＯＷレベルからＨＩＧＨレベルに遷移させる。
【００６１】
インターホン回路故障検知部８１は、インターホン回路１０のロック信号を確認し、一定時間（所定時間）、ロック信号があるか否かを判定する（Ｓ１４）。インターホン回路故障検知部８１は、一定時間のロック信号がないと判定したときは（Ｓ１４でＹｅｓ）、インターホン回路１０をＯＦＦにする（Ｓ１６）。つまり、インターホン回路故障検知部８１は、ロック信号がＨＩＧＨレベルからＬＯＷレベルに遷移しないときには（Ｓ１４でＹｅｓ）、制御信号をＨＩＧＨレベルからＬＯＷレベルに遷移させる（Ｓ１６）。
【００６２】
そして、インターホン回路故障検知部８１は、インターホン回路１０の故障と判断し（Ｓ１８）、呼び出しモード機能部８３を機能させる。そして、インターホン回路故障検知部８１は、呼び出しモードに移行した旨をＬＣＤ（入力表示部７０）に表示させ（Ｓ２０）、故障したので呼び出しモードに移行した旨を、相手リモコン（ここでは、台所リモコン１００）に対して、通信回路２０を介して送信する（Ｓ２２）。そして、インターホン回路故障検知部８１は、相手リモコン制御部８２を機能させる。
【００６３】
相手リモコン制御部８２は、相手リモコンのインターホン回路１０をＯＦＦさせる（Ｓ２４）。つまり、相手リモコン制御部８２は、通信回路２０を介して、相手リモコン（ここでは、台所リモコン１００）のインターホン回路１０の制御信号をＨＩＧＨレベルからＬＯＷレベルに遷移させる。そして、相手リモコン制御部８２は、インターホン回路が故障したので呼び出しモードに移行した旨を、相手リモコンのＬＣＤに表示させる（Ｓ２６）。
【００６４】
相手リモコン制御部８２は、自装置（ここでは、浴室リモコン２００）からの呼び出しがあることを、相手リモコンに対して、音やＬＣＤで伝達させ（Ｓ２８）、通常モードに移行する（Ｓ３０）。
【００６５】
また、インターホン回路故障検知部８１は、Ｓ１０の判定において、インターホン回路の故障履歴があった場合には（Ｎｏ）、呼び出しを開始する（Ｓ４０）。つまり、浴室リモコン２００（図１）のインターホン回路故障検知部８１（図９）は、故障履歴６５が給湯器本体３００に格納されていれば（Ｓ１０でＮｏ）、呼び出しモード機能部８３を機能させ、台所リモコン１００に呼び出しを行わせる（Ｓ４０）。これにより、台所リモコン１００（図１）は、マイコン５０の呼び出しモード機能部８３（図９）が機能し、音声信号生成部８４がデジタル音声信号を生成する。また、台所リモコン１００（図１）は、Ｄ／Ａ変換器５９がデジタル音声信号をアナログ音声信号に変換し、アンプ４０（図１）を介して、スピーカ４５が「浴室で呼び出しがあります。」等の呼び出し音を放音する。そして、インターホン回路故障検知部８１は、呼び出し完了処理を行い（Ｓ４２）、通常モードへ移行する（Ｓ４４）。
【００６６】
また、Ｓ１４において、一定時間、継続してロック信号があったときには（Ｓ１４でＮｏ）、インターホン回路故障検知部８１は、インターホンの通話開始（Ｓ３２）を介し、インターホン通話スイッチのＯＦＦを確認する終了処理（Ｓ３４）の後、インターホン回路１０をＯＦＦさせる（Ｓ３６）。ここで、インターホン回路故障検知部８１は、インターホン回路１０の制御信号をＨＩＧＨレベルからＬＯＷレベルに遷移させる（Ｓ３６）。そして、インターホン回路故障検知部８１は、通常モードへ移行する（Ｓ３８）。
【００６７】
図１１は、本発明の第２実施形態である給湯器システムの給湯器本体のフローチャートである。
このルーチンは、浴室リモコン２００が呼び出しモードに移行したことの通信を行い（図１０のＳ２２）、給湯器本体３００がこの通信を受信したときに（Ｓ５０）、起動する。
給湯器本体３００（本体基板）のＣＰＵ５５の故障履歴格納部８５（図４）は、インターホン回路１０の故障履歴６５をつけて（Ｓ５２）、終了する。
【００６８】
（変形例）
本発明は前記した実施形態に限定されるものではなく、例えば以下のような種々の変形が可能である。
前記第１実施形態の台所リモコン１００、及び浴室リモコン２００は、相手リモコンの故障信号の有無を判定していた（図５のＳ１１２、図６のＳ２０８）。この判定を削除し、故障信号があったときの流れ（Ｓ１１２でＮｏ、Ｓ１２０、Ｓ２０８でＮｏ、Ｓ２１６）は、別の割込みルーチンとすることができる。また、給湯器本体３００も同様であり、図８のＳ３０４の判定、及びＳ３０８の処理は、別の割込みルーチンとすることができる。
【符号の説明】
【００６９】
１０  インターホン回路
１２  復調回路
１４  変調回路
２０  通信回路
３０  電源回路
３１  電源装置
４０  アンプ
４２  増幅器
４５  スピーカ
４６  マイク
５０，５０ａ，５０ｂ  マイコン（制御部）
５２  マイコン（他の制御部）
５５  ＣＰＵ
５６  ＲＯＭ
５７  ＲＡＭ
５８  Ｉ／Ｏポート
５９  Ｄ／Ａ変換器
６０  不揮発性記憶部
６５  故障履歴
７０  入力表示部
８１  インターホン回路故障検知部
８２  相手リモコン制御部
８３  呼び出しモード機能部
８４  音声信号生成部
８５  故障履歴格納部
８６  インターホンスイッチ機能部
８７，８９  インターホン信号処理部
８８  呼出信号処理部
１００  台所リモコン（インターホン装置）
２００  浴室リモコン（インターホン装置）
３００  給湯器本体（本体装置）
４００  ケーブル
５００  給湯器システム（インターホンシステム）
【図１】
0006405277.tif 000002
【図２】
0006405277.tif 000003
【図３】
0006405277.tif 000004
【図４】
0006405277.tif 000005
【図５】
0006405277.tif 000006
【図６】
0006405277.tif 000007
【図７】
0006405277.tif 000008
【図８】
0006405277.tif 000009
【図９】
0006405277.tif 000010
【図１０】
0006405277.tif 000011
【図１１】
0006405277.tif 000012